(57)【特許請求の範囲】
【請求項１】
装置電源がオン状態に切り換えられたときにマグネトロンを加熱し、該マグネトロンが適正温度以上となったときに、該マグネトロンを作動させるレーダ装置において、
上記装置電源がオン状態に切り換えられる前のオフ期間を測定するオフ期間測定手段と、
上記オフ期間測定手段により測定されたオフ期間を基に、上記装置電源がオン状態に切り換えられたときの上記マグネトロンの温度から適正温度まで加熱するのに要する加熱時間を求め、該加熱時間でもって上記マグネトロンを加熱するマグネトロン加熱手段とを有していることを特徴とするレーダ装置。
【請求項２】
装置電源がオン状態に切り換えられたときにマグネトロンを加熱し、該マグネトロンが適正温度以上となったときに、該マグネトロンを作動させるレーダ装置において、
上記マグネトロンの周囲温度を測定する温度測定手段と、
上記装置電源がオン状態に切り換えられる前のオフ期間を測定するオフ期間測定手段と、
上記温度測定手段により測定された周囲温度と上記オフ期間測定手段により測定されたオフ期間とを基に、上記装置電源がオン状態に切り換えられたときの上記マグネトロンの温度から適正温度まで加熱するのに要する加熱時間を求め、該加熱時間でもって上記マグネトロンを加熱するマグネトロン加熱手段とを有していることを特徴とするレーダ装置。
【請求項３】
装置電源がオン状態に切り換えられたときにマグネトロンをヒータにより加熱し、該マグネトロンが適正温度以上となったときに、該マグネトロンを作動させるレーダ装置において、
上記ヒータに電力を供給するヒータ電源と、
上記装置電源がオン状態に切り換えられる前のオフ期間を測定するように、充放電可能にされたコンデンサと、上記コンデンサの放電電流を制限する抵抗器と、上記マグネトロンの加熱終了後に上記コンデンサを充電させ、オフ期間中に上記コンデンサを放電させる充電制御器と、上記コンデンサの電圧をデジタル値に変換してオフ期間として出力するＡ／Ｄ変換器とを備えたオフ期間測定器と、
上記装置電源がオン状態に切り換えられたときの上記マグネトロンの温度から適正温度まで加熱するのに要する加熱時間をオフ期間に対応して格納した記憶部と、上記オフ期間測定器により測定されたオフ期間に対応する加熱時間を上記記憶部から求め、該加熱時間でもって上記ヒータ電源を制御する演算部とを備えた電源制御装置とを有していることを特徴とするレーダ装置。
【請求項４】
装置電源がオン状態に切り換えられたときにマグネトロンをヒータにより加熱し、該マグネトロンが適正温度以上となったときに、該マグネトロンを作動させるレーダ装置において、
上記ヒータに電力を供給するヒータ電源と、
上記装置電源がオン状態に切り換えられる前のオフ期間を測定するように、常に現時点の時間を時間データとして出力するタイマーと、上記装置電源がオン状態からオフ状態にされた時点の時間データを記憶し、該時間データを保持するタイマー用メモリとを備えたオフ期間測定器と、
上記装置電源がオン状態に切り換えられたときの上記マグネトロンの温度から適正温度まで加熱するのに要する加熱時間をオフ期間に対応して格納した記憶部と、上記装置電源がオン状態に切り換えられたときに、上記タイマーから現時点の時間データを読み取ると共に、上記タイマー用メモリからオフ状態に切り換えられた時点の時間データを読み取り、両時間データの差を基にしてオフ期間を求め、該オフ期間に対応する加熱時間を上記記憶部から求め、該加熱時間でもって上記ヒータ電源を制御する演算部とを備えた電源制御装置とを有していることを特徴とするレーダ装置。
【請求項５】
装置電源がオン状態に切り換えられたときにマグネトロンをヒータにより加熱し、該マグネトロンが適正温度以上となったときに、該マグネトロンを作動させるレーダ装置において、
上記ヒータに電力を供給するヒータ電源と、
上記装置電源がオン状態に切り換えられる前のオフ期間を測定するように、上記レーダ装置がオフ状態にされている期間、クロック信号を出力するクロック発生器と、上記クロック信号の入力によりカウンター値を計数するカウンターとを備えたオフ期間測定器と、
上記装置電源がオン状態に切り換えられたときの上記マグネトロンの温度から適正温度まで加熱するのに要する加熱時間をオフ期間に対応して格納した記憶部と、上記カウンターからカウンター値を読み出し、該カウンター値に対応するオフ期間を求め、該オフ期間に対応する加熱時間を上記記憶部から求め、該加熱時間でもって上記ヒータ電源を制御する演算部とを備えた電源制御装置とを有していることを特徴とするレーダ装置。
【発明の詳細な説明】
【０００１】
【産業上の利用分野】
本発明は、マグネトロンが適正温度以上となったときにマグネトロンを作動させるレーダ装置に関するものである。
【０００２】
【従来の技術】
レーダ装置の送信管として多用されているマグネトロンは、発振が不安定化したり、アークが発生して短命化しないように、適正な温度以上で作動させることが必要になっている。従って、従来、レーダ装置は、マグネトロンにヒータを設け、レーダ装置の装置電源がオン（ＯＮ）状態にされたときに、マグネトロンが最も低い温度であっても適正な温度以上となるように一定の加熱時間の経過後にマグネトロンを作動させるようになっている。
【０００３】
【発明が解決しようとする課題】
しかしながら、上記従来のように、マグネトロンが最低温度である場合に対応させて固定的に加熱時間を設定すると、マグネトロンが或る程度の温度を有することにより最低温度から適正温度に加熱されるまでの時間よりも早期に適正温度に到達した場合でも、常に一定の加熱時間を経過しなければ、マグネトロンが作動されないことになる。従って、例えばレーダ装置の装置電源を誤操作によりオフ（ＯＦＦ）状態とした場合のように、装置電源をオフ状態から即座にオン状態に切り換えた場合でも、一定の加熱時間が経過するまでレーダ装置を使用できないため、大きな待ち時間が発生することになるという問題がある。特に、この待ち時間の問題は、緊急時において大きなものになる。
【０００４】
従って、本発明は、待ち時間を最小限に短縮するように加熱時間を求めることができるレーダ装置を提供することを目的とする。
【０００５】
【課題を解決するための手段】
上記目的を解決するために、請求項１ないし請求項５の発明は、装置電源がオン状態に切り換えられたときにマグネトロンを加熱し、該マグネトロンが適正温度以上となったときに、該マグネトロンを作動させるものであり、下記の特徴を有している。
【０００６】
即ち、請求項１の発明は、上記装置電源がオン状態に切り換えられる前のオフ期間を測定するオフ期間測定手段と、上記オフ期間測定手段により測定されたオフ期間を基に、上記装置電源がオン状態に切り換えられたときの上記マグネトロンの温度から適正温度まで加熱するのに要する加熱時間を求め、該加熱時間でもって上記マグネトロンを加熱するマグネトロン加熱手段とを有していることを特徴としている。
【０００７】
また、請求項２の発明は、上記マグネトロンの周囲温度を測定する温度測定手段と、上記装置電源がオン状態に切り換えられる前のオフ期間を測定するオフ期間測定手段と、上記温度測定手段により測定された周囲温度と上記オフ期間測定手段により測定されたオフ期間とを基に、上記装置電源がオン状態に切り換えられたときの上記マグネトロンの温度から適正温度まで加熱するのに要する加熱時間を求め、該加熱時間でもって上記マグネトロンを加熱するマグネトロン加熱手段とを有していることを特徴としている。
【０００８】
さらに、請求項３の発明は、上記ヒータに電力を供給するヒータ電源と、上記装置電源がオン状態に切り換えられる前のオフ期間を測定するように、充放電可能にされたコンデンサと、上記コンデンサの放電電流を制限する抵抗器と、上記マグネトロンの加熱終了後に上記コンデンサを充電させ、オフ期間中に上記コンデンサを放電させる充電制御器と、上記コンデンサの電圧をデジタル値に変換してオフ期間として出力するＡ／Ｄ変換器とを備えたオフ期間測定器と、上記装置電源がオン状態に切り換えられたときの上記マグネトロンの温度から適正温度まで加熱するのに要する加熱時間をオフ期間に対応して格納した記憶部と、上記オフ期間測定器により測定されたオフ期間に対応する加熱時間を上記記憶部から求め、該加熱時間でもって上記ヒータ電源を制御する演算部とを備えた電源制御装置とを有していることを特徴としている。
【０００９】
請求項４の発明は、上記ヒータに電力を供給するヒータ電源と、上記装置電源がオン状態に切り換えられる前のオフ期間を測定するように、常に現時点の時間を時間データとして出力するタイマーと、上記装置電源がオン状態からオフ状態にされた時点の時間データを記憶し、該時間データを保持するタイマー用メモリとを備えたオフ期間測定器と、上記装置電源がオン状態に切り換えられたときの上記マグネトロンの温度から適正温度まで加熱するのに要する加熱時間をオフ期間に対応して格納した記憶部と、上記装置電源がオン状態に切り換えられたときに、上記タイマーから現時点の時間データを読み取ると共に、上記タイマー用メモリからオフ状態に切り換えられた時点の時間データを読み取り、両時間データの差を基にしてオフ期間を求め、該オフ期間に対応する加熱時間を上記記憶部から求め、該加熱時間でもって上記ヒータ電源を制御する演算部とを備えた電源制御装置とを有していることを特徴としている。
【００１０】
請求項５の発明は、上記ヒータに電力を供給するヒータ電源と、上記装置電源がオン状態に切り換えられる前のオフ期間を測定するように、上記レーダ装置がオフ状態にされている期間、クロック信号を出力するクロック発生器と、上記クロック信号の入力によりカウンター値を計数するカウンターとを備えたオフ期間測定器と、上記装置電源がオン状態に切り換えられたときの上記マグネトロンの温度から適正温度まで加熱するのに要する加熱時間をオフ期間に対応して格納した記憶部と、上記カウンターからカウンター値を読み出し、該カウンター値に対応するオフ期間を求め、該オフ期間に対応する加熱時間を上記記憶部から求め、該加熱時間でもって上記ヒータ電源を制御する演算部とを備えた電源制御装置とを有していることを特徴としている。
【００１１】
【作用】
請求項１ないし５の構成によれば、マグネトロンが適正温度以上に加熱された後、装置電源がオフ状態にされると、マグネトロンの加熱が停止されるため、オフ状態の時間であるオフ期間が長くなる程、マグネトロンの温度が低下することになる。従って、装置電源がオン状態に切り換えられる前のオフ期間を測定することによって、装置電源がオン状態に切り換えられたときのマグネトロンの温度を間接的に求めることが可能になり、結果として、このマグネトロンの温度から適正温度に加熱するのに要する加熱時間を経験的または理論的に求めることが可能になる。これにより、装置電源をオン状態に切り換えた後、マグネトロンの最低温度に対応させた一定の加熱時間でもってマグネトロンを加熱して適正温度以上とした場合よりも、短期間でマグネトロンを作動させることが可能になり、装置電源をオン状態にしてからの待ち時間を短縮させることが可能になる。
【００１２】
また、請求項２または３の構成によれば、マグネトロンの周囲温度が上昇すると、マグネトロンに熱量が蓄積され易くなるため、マグネトロンを適正温度に加熱させるまでの時間を短縮化できることになる。従って、周囲温度とオフ期間とを組み合わせることによって、さらに高い精度でもって加熱時間を求めることが可能になり、オフ期間のみを基にして加熱時間を求めた場合よりも、一層短時間でマグネトロンを作動させることが可能になる。
【００１３】
【実施例】
〔実施例１〕
本発明の一実施例を図１および図２を用いて説明する。
本実施例に係るレーダ装置は、図１に示すように、高周波電力を送信電波として外部に放射するアンテナ１と、アンテナ１に高周波電力を供給するマグネトロン２と、マグネトロン２を加熱する図示しないヒータと、ヒータに電力を供給するヒータ電源３とを有している。
【００１４】
上記のヒータ電源３は、マグネトロン２を適正温度以上の所定温度に維持させるようにヒータ電源３を制御する電源制御装置４に接続されている。尚、適正温度とは、アークを発生させずに安定してマグネトロン２を発振させることができる温度のことである。上記の電源制御装置４は、演算部５とＩ／Ｏ部６と記憶部７とを有しており、記憶部７には、プログラム領域７ｂと時間データ領域７ａとが形成されている。時間データ領域７ａには、ヒータ電源３をオフ状態に切り換えた時点から再びオン状態に切り換えた時点までのオフ期間を示すオフ期間データと、このオフ期間データに対応する加熱時間データとが格納されている。尚、加熱時間データとは、マグネトロン２を適正温度に加熱するまでに要する時間を示すデータのことである。
【００１５】
また、プログラム領域７ｂには、加熱時間決定ルーチン等が格納されており、加熱時間決定ルーチンは、マグネトロン２の加熱が終了してから装置電源がオフ状態とされるまでの間、後述のオフ期間測定器８に対してＩ／Ｏ部６から制御信号を出力し、レーダ装置の装置電源がオフ状態からオン状態に切り換えられたときに、オフ期間測定器８からオフ期間データを取得し、このオフ期間データに対応する加熱時間データを求めるようになっている。
【００１６】
上記のＩ／Ｏ部６は、上述のヒータ電源３に接続されていると共に、オフ期間測定器８の充電制御器１２に接続されている。充電制御器１２は、入出力端子１２ａと信号端子１２ｂとを有しており、信号端子１２ｂには、Ｉ／Ｏ部６から制御信号が入力されるようになっている。そして、充電制御器１２は、制御信号が信号端子１２ｂに入力されたときに、入出力端子１２ａから電流を出力するようになっている一方、制御信号が入力されないときに、入出力端子１２ａをハイインピーダンスの状態とするようになっている。
【００１７】
上記の充電制御器１２の入出力端子１２ａは、第２抵抗器１１を介してコンデンサ９および第１抵抗器１０の一端側に接続されている。これらのコンデンサ９および第１抵抗器１０は、他端側が接地電位とされている。これにより、コンデンサ９は、充放電可能とされており、入出力端子１２ａから電流が出力されたときに、この電流を入出力端子１２ａと同電位になるまで充電し、入出力端子１２ａがハイインピーダンスとされたときに、第１抵抗器１０により放電電流が制限されながら徐々に放電するようになっている。そして、これらの充電および放電による電圧変動は、Ａ／Ｄ変換器１３により検出されており、Ａ／Ｄ変換器１３は、検出した電圧をデジタル値に変換してオフ期間データとして電源制御装置４に出力するようになっている。
【００１８】
上記の構成において、レーダ装置の動作について説明する。
レーダ装置の始動時において、装置電源がオン状態にされると、ヒータ電源３の作動によりマグネトロン２の加熱が開始されることになる。図２に示すように、初期設定時間Ｔ０  が経過すると、マグネトロン２が最低温度であっても適正温度以上の所定温度に確実に加熱されたと判断され、制御信号がＩ／Ｏ部６からオフ期間測定器８の充電制御器１２に出力されることになる。そして、充電制御器１２は、制御信号の入力により入出力端子１２ａから電流を出力し、コンデンサ９を充電させることになる。
【００１９】
この後、装置電源がオフ状態にされると、ヒータ電源３によるマグネトロン２の加熱による所定温度の維持が停止されることになると共に、制御信号の充電制御器１２への出力が停止されることになる。制御信号が停止された充電制御器１２は、入出力端子１２ａをハイインピーダンスの状態とすることになる。これにより、コンデンサ９は、第１抵抗器１０を介して放電することになり、時間の経過に伴って、マグネトロン２の温度低下と共に電圧を低下させることになる。
【００２０】
次に、装置電源がオン状態に切り換えられると、Ａ／Ｄ変換器１３がコンデンサ９の電圧をデジタル値に変換し、オフ期間データとして出力することになる。このオフ期間データは、電源制御装置４のＩ／Ｏ部６を介して演算部５に入力され、オフ期間データに対応する加熱時間データが記憶部７の時間データ領域７ａから読み出されることになる。この際、装置電源が早期にオン状態に切り換えられた場合には、切り換えられるまでの時間（オフ期間）に応じた放電途中の電圧がオフ期間データとして電源制御装置４に出力されることになる。従って、この場合には、２点鎖線および実線で示すように、オフ期間が長くなる程、マグネトロン２の温度低下に対応した長い加熱時間Ｔ１  ・Ｔ２  でもってマグネトロン２が加熱されることになる。一方、オフ期間が非常に長い場合には、コンデンサ９が完全に放電するため、”０Ｖ”のオフ期間データに対応する加熱時間データが読み出されることになる。従って、この場合には、マグネトロン２が完全に元の温度に戻ったと判断され、レーダ装置の始動時と同様の初期設定時間Ｔ０  でもってマグネトロン２が加熱されることになる。
【００２１】
この後、それぞれの加熱時間Ｔ０  ・Ｔ１  ・Ｔ２  が経過すると、マグネトロン２が適正温度に加熱されたと判断され、制御信号が充電制御器１２の信号端子１２ｂに出力されることになる。これにより、充電制御器１２が入出力端子１２ａから電流を出力してコンデンサ９を充電することによって、装置電源がオフ状態とされるまで、オフ期間測定器８が待機状態にされることになる。
【００２２】
尚、本実施例のオフ期間測定器８は、充電制御器１２とＡ／Ｄ変換器１３とでコンデンサ９の充電と電圧の測定とをそれぞれ行うようになっているが、これに限定されることはなく、充電制御器１２とＡ／Ｄ変換器１３とを一体的に有したマイクロコンピュータにより行うようになっていても良い。
【００２３】
〔実施例２〕
本発明の他の実施例を図３を用いて説明する。尚、実施例１と同一の部材には、同一の符号を付記してその説明を省略する。
【００２４】
本実施例に係るレーダ装置は、図３に示すように、タイマー２１とタイマー用メモリ２２とを有したオフ期間測定器２８を備えている。タイマー２１は、レーダ装置の装置電源がオフ状態にされていても常に現時点の時間を時間データとして出力するようになっている。また、タイマー用メモリ２２は、データ内容を書き換え可能なメモリからなっており、バックアップ電源２３に接続され、レーダ装置の装置電源がオフ状態にされたときでも、記憶したデータ内容を保持するようになっている。尚、バックアップ電源２３は、コンデンサで代用されていても良い。
【００２５】
上記のタイマー２１およびタイマー用メモリ２２は、電源制御装置４のＩ／Ｏ部６を介して演算部５に接続されている。そして、演算部５は、記憶部７のプログラム領域７ｂに格納された加熱時間決定ルーチンを実行すると、タイマー２１の時間データをタイマー用メモリ２２に、加熱終了後、現在時間を例えば１秒毎に更新しながら格納し、レーダ装置の装置電源がオフ状態からオン状態に切り換えられたときに、時間を比較することによりオフ期間データを求め、このオフ期間データに対応する加熱時間データを時間データ領域７ａから求めるようになっている。その他の構成は、実施例１と同一である。
【００２６】
上記の構成において、レーダ装置の動作について説明する。
レーダ装置の始動時において、装置電源がオン状態にされると、ヒータ電源３の作動によりマグネトロン２の加熱が開始されることになる。加熱終了後に、タイマー２１の時間データがＩ／Ｏ部６を介して演算部５に読み取られた後、Ｉ／Ｏ部６を介してタイマー用メモリ２２に格納されることになる。この後、装置電源がオフ状態にされると、ヒータ電源３によるマグネトロン２の加熱による所定温度の維持が停止されることになると共に、演算部５の実行が停止されることによって、演算部５によるタイマー用メモリ２２への時間データの書き込みが停止されることになる。従って、タイマー用メモリ２２は、装置電源がオン状態からオフ状態にされた時点の時間データを記憶し、この時間データをバックアップ電源２３により保持することになる。
【００２７】
次に、装置電源がオン状態に切り換えられると、演算部５がタイマー２１から現時点の時間データを読み取ると共に、タイマー用メモリ２２からオフ状態に切り換えられた時点の時間データを読み取り、両時間データの差を基にしてオフ期間データを求めることになる。そして、このオフ期間データに対応する加熱時間データが記憶部７の時間データ領域７ａから読み出され、この加熱時間データを基にした加熱時間でもってマグネトロン２が加熱されることになる。
【００２８】
尚、本実施例においては、タイマー２１の時間データを常時タイマー用メモリ２２に書き込むようになっているが、これに限定されることはなく、例えば装置電源がオン状態からオフ状態になる瞬間を瞬断検出器により検出し、この検出時に時間データをタイマー用メモリ２２に書き込んだ後、電源制御装置４を停止させるようになっていても良い。
【００２９】
〔実施例３〕
本発明の他の実施例を図４を用いて説明する。尚、実施例１と同一の部材には、同一の符号を付記してその説明を省略する。
【００３０】
本実施例に係るレーダ装置は、図４に示すように、クロック発生器３１とカウンター３２とを有したオフ期間測定器３８と、このオフ期間測定器３８をバックアップするバックアップ装置電源３３とを備えている。クロック発生器３１は、レーダ装置がオフ状態にされている期間、クロック信号をカウンター３２に出力するようになっている。一方、カウンター３２は、加熱終了後にカウンター値を最大値に設定し、クロック信号の入力によりカウンター値を最大値から減算させるようになっており、カウンター値が”０”となったときに、クロック発生器３１に対してクロック信号の出力を停止するように指示するようになっている。尚、カウンター３２は、クロック信号によりカウンター値を増大させるようになっていても良い。
【００３１】
上記のカウンター３２は、Ｉ／Ｏ部６を介して演算部５に接続されている。そして、演算部５は、レーダ装置の装置電源がオン状態に切り換えられたときに、カウンター３２のカウンター値を読み出し、カウンター値を最小値にしてから加熱終了後に最大値にするようになっている。また、演算部５は、カウンター値に対応するオフ期間データを求め、さらに、このオフ期間データに対応する加熱時間データを時間データ領域７ａから求めるようになっている。その他の構成は、実施例１と同一である。
【００３２】
上記の構成において、レーダ装置の動作について説明する。
レーダ装置の始動時において、装置電源がオン状態にされると、ヒータ電源３の作動によりマグネトロン２の加熱が開始されることになる。また、装置電源がオン状態にされることによって、カウンター３２のカウンター値が最大値に設定されることになる。この後、装置電源がオフ状態にされると、ヒータ電源３によるマグネトロン２の加熱による所定温度の維持が停止されることになる一方、クロック発生器３１のクロック信号がカウンター３２に出力されることになる。従って、カウンター３２は、装置電源がオン状態からオフ状態に切り換えられた時点から減算を開始することになる。
【００３３】
次に、装置電源がオン状態に切り換えられると、クロック信号のカウンター３２への出力が停止されることによって、カウンター３２のカウンター値が停止されることになる。この後、演算部５がカウンター３２からカウンター値を読み出し、このカウンター値に対応するオフ期間データを求めることになる。そして、オフ期間データに対応する加熱時間データを時間データ領域７ａから求めることによって、この加熱時間データを基にした加熱時間でもってマグネトロン２が加熱されることになる。
【００３４】
以上のように、本実施例１〜３のレーダ装置は、レーダ装置の装置電源がオン状態に切り換えられたときにマグネトロン２を加熱し、マグネトロン２が適正温度以上となったときに、マグネトロン２を作動させるものであり、装置電源がオン状態に切り換えられる前のオフ期間を測定するオフ期間測定手段（オフ期間測定器８・２８・３８）と、オフ期間測定手段により測定されたオフ期間を基に、装置電源がオン状態に切り換えられたときのマグネトロン２の温度から適正温度まで加熱するのに要する加熱時間を求め、この加熱時間でもってマグネトロン２を加熱するマグネトロン加熱手段（ヒータ電源３、電源制御装置４、ヒータ）とを有している構成である。
【００３５】
これにより、装置電源がオン状態に切り換えられる前のオフ期間を測定することによって、装置電源がオン状態に切り換えられたときのマグネトロン２の温度を間接的に求めることが可能になるため、マグネトロン２の温度から適正温度に加熱するのに要する加熱時間を経験的または理論的に求めることが可能になる。これにより、装置電源をオン状態に切り換えた後、マグネトロン２の最低温度に対応させた一定の加熱時間でもってマグネトロン２を加熱して適正温度以上とした場合よりも、短期間でマグネトロン２を作動させることが可能になり、装置電源をオン状態にしてからの待ち時間を短縮させることが可能になる。
【００３６】
尚、本実施例１〜３においては、オフ期間測定器８・２８・３８をオフ期間測定手段としているが、これに限定されることはない、即ち、電源制御装置４にバックアップ装置電源を接続し、装置電源がオフ状態に切り換えられたときに、演算部５にクロック発生器としての機能を持たせ、記憶部７にカウンターの機能を持たせることによって、加熱時間を求めるようになっていても良い。
【００３７】
また、本実施例１〜３においては、オフ期間測定器８により得られるオフ期間データのみに基づいて加熱時間データを求めるようになっているが、これに限定されることもない。即ち、図１に示すように、マグネトロン２の周囲温度を測定する温度測定手段（温度センサー１４）を電源制御装置４に接続し、この温度センサー１４から得られる周囲温度データとオフ期間データとに基づいて加熱時間データを求めるようになっていても良い。具体的には、マグネトロン２の周囲温度が高温である程、マグネトロン２を適正温度に加熱するまでの時間が短縮化されるため、周囲温度データとマグネトロン２の加熱に要する時間との関係を係数化し、この係数値をオフ期間データに乗算した値を基にして加熱時間データを求めるようになっていても良い。そして、この場合には、オフ期間データのみを基にして加熱時間を求めた場合よりも、高い精度でもって加熱時間を求めることが可能になるため、一層加熱時間（待ち時間）を短縮化させることが可能になる。
【００３８】
【発明の効果】
請求項１の発明は、以上のように、装置電源がオン状態に切り換えられたときにマグネトロンを加熱し、該マグネトロンが適正温度以上となったときに、該マグネトロンを作動させるレーダ装置において、上記装置電源がオン状態に切り換えられる前のオフ期間を測定するオフ期間測定手段と、上記オフ期間測定手段により測定されたオフ期間を基に、上記装置電源がオン状態に切り換えられたときの上記マグネトロンの温度から適正温度まで加熱するのに要する加熱時間を求め、該加熱時間でもって上記マグネトロンを加熱するマグネトロン加熱手段とを有している構成である。
【００３９】
これにより、装置電源がオン状態に切り換えられる前のオフ期間を測定することによって、装置電源がオン状態に切り換えられたときのマグネトロンの温度を間接的に求めることが可能になり、結果として、このマグネトロンの温度から適正温度に加熱するのに要する加熱時間を経験的または理論的に求めることが可能になる。よって、装置電源をオン状態に切り換えた後、マグネトロンの最低温度に対応させた一定の加熱時間でもってマグネトロンを加熱して適正温度以上とした場合よりも、短期間でマグネトロンを作動させることが可能になり、装置電源をオン状態にしてからの待ち時間を短縮させることが可能になるという効果を奏する。
【００４０】
請求項２の発明は、以上のように、装置電源がオン状態に切り換えられたときにマグネトロンを加熱し、該マグネトロンが適正温度以上となったときに、該マグネトロンを作動させるレーダ装置において、上記マグネトロンの周囲温度を測定する温度測定手段と、上記装置電源がオン状態に切り換えられる前のオフ期間を測定するオフ期間測定手段と、上記温度測定手段により測定された周囲温度と上記オフ期間測定手段により測定されたオフ期間とを基に、上記装置電源がオン状態に切り換えられたときの上記マグネトロンの温度から適正温度まで加熱するのに要する加熱時間を求め、該加熱時間でもって上記マグネトロンを加熱するマグネトロン加熱手段とを有している構成である。
【００４１】
これにより、マグネトロンの周囲温度が上昇すると、マグネトロンに熱量が蓄積され易くなり、マグネトロンを適正温度に加熱させるまでの時間を短縮化できることから、周囲温度とオフ期間とを組み合わせることによって、さらに高い精度でもって加熱時間を求めることが可能になる。よって、オフ期間のみを基にして加熱時間を求めた場合よりも、一層短期間でマグネトロンを作動させることが可能になるという効果を奏する。
【００４２】
請求項３の発明は、以上のように、装置電源がオン状態に切り換えられたときにマグネトロンをヒータにより加熱し、該マグネトロンが適正温度以上となったときに、該マグネトロンを作動させるレーダ装置において、上記ヒータに電力を供給するヒータ電源と、上記装置電源がオン状態に切り換えられる前のオフ期間を測定するように、充放電可能にされたコンデンサと、上記コンデンサの放電電流を制限する抵抗器と、上記マグネトロンの加熱終了後に上記コンデンサを充電させ、オフ期間中に上記コンデンサを放電させる充電制御器と、上記コンデンサの電圧をデジタル値に変換してオフ期間として出力するＡ／Ｄ変換器とを備えたオフ期間測定器と、上記装置電源がオン状態に切り換えられたときの上記マグネトロンの温度から適正温度まで加熱するのに要する加熱時間をオフ期間に対応して格納した記憶部と、上記オフ期間測定器により測定されたオフ期間に対応する加熱時間を上記記憶部から求め、該加熱時間でもって上記ヒータ電源を制御する演算部とを備えた電源制御装置とを有している構成である。
【００４３】
請求項４の発明は、装置電源がオン状態に切り換えられたときにマグネトロンをヒータにより加熱し、該マグネトロンが適正温度以上となったときに、該マグネトロンを作動させるレーダ装置において、上記ヒータに電力を供給するヒータ電源と、上記装置電源がオン状態に切り換えられる前のオフ期間を測定するように、常に現時点の時間を時間データとして出力するタイマーと、上記装置電源がオン状態からオフ状態にされた時点の時間データを記憶し、該時間データを保持するタイマー用メモリとを備えたオフ期間測定器と、上記装置電源がオン状態に切り換えられたときの上記マグネトロンの温度から適正温度まで加熱するのに要する加熱時間をオフ期間に対応して格納した記憶部と、上記装置電源がオン状態に切り換えられたときに、上記タイマーから現時点の時間データを読み取ると共に、上記タイマー用メモリからオフ状態に切り換えられた時点の時間データを読み取り、両時間データの差を基にしてオフ期間を求め、該オフ期間に対応する加熱時間を上記記憶部から求め、該加熱時間でもって上記ヒータ電源を制御する演算部とを備えた電源制御装置とを有している構成である。
【００４４】
請求項５の発明は、装置電源がオン状態に切り換えられたときにマグネトロンをヒータにより加熱し、該マグネトロンが適正温度以上となったときに、該マグネトロンを作動させるレーダ装置において、上記ヒータに電力を供給するヒータ電源と、上記装置電源がオン状態に切り換えられる前のオフ期間を測定するように、上記レーダ装置がオフ状態にされている期間、クロック信号を出力するクロック発生器と、上記クロック信号の入力によりカウンター値を計数するカウンターとを備えたオフ期間測定器と、上記装置電源がオン状態に切り換えられたときの上記マグネトロンの温度から適正温度まで加熱するのに要する加熱時間をオフ期間に対応して格納した記憶部と、上記カウンターからカウンター値を読み出し、該カウンター値に対応するオフ期間を求め、該オフ期間に対応する加熱時間を上記記憶部から求め、該加熱時間でもって上記ヒータ電源を制御する演算部とを備えた電源制御装置とを有している構成である。
【００４５】
これにより、請求項１および請求項２と同様に、装置電源をオン状態にしてからの待ち時間を短縮させることが可能になるという効果を奏する。
【図面の簡単な説明】
【図１】レーダ装置のブロック図である。
【図２】レーダ装置の動作とオフ期間測定器の動作状態との関係を示す説明図である。
【図３】レーダ装置のブロック図である。
【図４】レーダ装置のブロック図である。
【符号の説明】
１  アンテナ
２  マグネトロン
３  ヒータ電源
４  電源制御装置
５  演算部
６  Ｉ／Ｏ部
７  記憶部
７ａ  時間データ領域
７ｂ  プログラム領域
８  オフ期間測定器
９  コンデンサ
１０  第１抵抗器
１１  第２抵抗器
１３  Ａ／Ｄ変換器
１４  温度センサー
２１  タイマー
２２  タイマー用メモリ
２８  オフ期間測定器
３１  クロック発生器
３２  カウンター
３８  オフ期間測定器
【図１】
0003543031.tif 000002
【図２】
0003543031.tif 000003
【図３】
0003543031.tif 000004
【図４】
0003543031.tif 000005